(57)【要約】【課題】小型軽量で使い勝手がよく、かつ、気流及び除塵体（シート体）による相乗的な塵埃除去効果を得ることができる掃除具等を提供する。【解決手段】掃除具等において、端部に開口１０が形成された中空筒状のノズル部６と、一端がノズル部６に対して支持され、ノズル部６内から開口１０を通じて吹き出す気流の存在時に、この気流によって開口１０を通りノズル部６の内側と外側とにわたって配置される除塵体７（シート体）と、を備える。【選択図】図６
2018153242.tif 000002
【特許請求の範囲】
【請求項１】
端部に開口が形成された中空筒状のノズル部と、
一端が前記ノズル部に対して支持され、前記ノズル部内から前記開口を通じて吹き出す気流の存在時に、前記気流によって前記開口を通り前記ノズル部の内側と外側とにわたって配置される除塵体と、を備えた掃除具。
【請求項２】
前記気流の存在時に、前記除塵体の前記一端を前記開口よりも前記ノズル部の内側で支持する支持手段をさらに備えた請求項１に記載の掃除具。
【請求項３】
前記開口は、開口面の形状が長手方向と短手方向とを有する請求項２に記載の掃除具。
【請求項４】
前記除塵体は、前記開口よりも前記ノズル部の外側に配置される露出部分の長さが変化可能である請求項２又は請求項３に記載の掃除具。
【請求項５】
前記除塵体の前記露出部分の長さは、前記気流の風量によって変化する請求項４に記載の掃除具。
【請求項６】
前記除塵体は、伸縮可能であり、
前記除塵体の全長は、前記気流の風量によって変化する請求項５に記載の掃除具。
【請求項７】
前記支持手段は、弾性体を介して前記除塵体の前記一端を支持する請求項５に記載の掃除具。
【請求項８】
前記除塵体は、前記弾性体に対して着脱可能に取り付けられる請求項７に記載の掃除具。
【請求項９】
前記除塵体は、前記気流が存在しない時に全体が前記開口よりも前記ノズル部の内側に収容される請求項４から請求項８のいずれか一項に記載の掃除具。
【請求項１０】
端部に開口が形成された中空筒状のノズル部と、
一端が前記ノズル部に対して支持され、前記ノズル部内へと前記開口を通じて吸い込む気流の存在時に、前記気流によって前記開口の内側と外側とにわたって配置される除塵体と、を備えた掃除具。
【請求項１１】
前記気流の存在時に、前記除塵体の前記一端を前記開口よりも前記ノズル部の外側で支持する支持手段をさらに備えた請求項１０に記載の掃除具。
【請求項１２】
前記除塵体は、前記開口よりも前記ノズル部の外側に配置される露出部分の長さが変化可能である請求項１０又は請求項１１に記載の掃除具。
【請求項１３】
前記除塵体は、植毛を備える請求項１０から請求項１２のいずれか一項に記載の掃除具。
【請求項１４】
前記開口よりも前記ノズル部の外側に配置される前記除塵体の露出部分を、少なくとも一側が開放された状態で覆うカバー体をさらに備えた請求項１０から請求項１３のいずれか一項に記載の掃除具。
【請求項１５】
前記カバー体は、植毛を備える請求項１４に記載の掃除具。
【請求項１６】
前記除塵体は、柔軟性を有する請求項１から請求項１５のいずれか一項に記載の掃除具。
【請求項１７】
前記除塵体は、前記気流の下流側が上流側よりも柔軟性が高い請求項１６に記載の掃除具。
【請求項１８】
前記除塵体は、前記気流の下流側が上流側よりも質量が小さい請求項１６又は請求項１７に記載の掃除具。
【請求項１９】
前記除塵体は、前記気流の下流側の先端部に設けられた振動増幅体を備える請求項１６から請求項１８のいずれか一項に記載の掃除具。
【請求項２０】
複数の前記除塵体を備える請求項１から請求項１９のいずれか一項に記載の掃除具。
【請求項２１】
複数の前記除塵体は、全長が異なる請求項２０に記載の掃除具。
【請求項２２】
前記除塵体は、マイクロファイバーを含む請求項１から請求項２１のいずれか一項に記載の掃除具。
【請求項２３】
前記除塵体は、帯電防止処理を施した素材を備える請求項１から請求項２２のいずれか一項に記載の掃除具。
【請求項２４】
前記除塵体及び前記ノズル部の内面の一方又は両方は、抗菌処理を施した素材を備える請求項１から請求項２３のいずれか一項に記載の掃除具。
【請求項２５】
前記ノズル部は、屈曲可能である請求項１から請求項２４のいずれか一項に記載の掃除具。
【請求項２６】
前記ノズル部は、前記開口の開口面の向きを前記ノズル部内の前記気流の方向に平行な回転軸を中心にして回転可能である請求項１から請求項２５のいずれか一項に記載の掃除具。
【請求項２７】
請求項１から請求項２６のいずれか一項に記載の掃除具と、
前記気流を発生させるための送風機と、を備えたことを特徴とする電気掃除機。
【発明の詳細な説明】
【技術分野】
【０００１】
この発明は、掃除具及び電気掃除機に関するものである。
【背景技術】
【０００２】
掃除具においては、被塗装物の除塵装置として、エアノズルの噴出口の口縁に帯状をなす多数の除塵布の基端を取り付けたものが知られている（例えば、特許文献１参照）。
【先行技術文献】
【特許文献】
【０００３】
【特許文献１】実公平０４−０４０７７０号公報
【発明の概要】
【発明が解決しようとする課題】
【０００４】
しかしながら、特許文献１に示されるような掃除具においては、除塵布が噴出口の口縁を起点として振動する。このため、除塵布（除塵体、シート体）の素材が柔らかい場合、除塵体（シート体）は、噴出口からの気流内でのみ振動し、除塵体（シート体）の振動範囲が気流外まで及ばない。したがって、送出された気流が被清掃面に当たって方向を変える際に、除塵体（シート体）も気流の方向に流されながら振動する。よって、除塵体（シート体）が被清掃面に強く接触しにくく、塵埃の除去効果が小さい。
【０００５】
また、除塵体（シート体）の素材が硬い場合は、除塵体（シート体）の振動範囲が気流外にまで及ぶ一方で、除塵体（シート体）の振動の周期が長くなってしまう。このため、被清掃面への除塵体（シート体）の接触回数が少なくなり、やはり、塵埃の除去効果が小さい。
【０００６】
したがって、特許文献１に示されるような掃除具においては、気流及び除塵体（シート体）の相乗的な塵埃除去効果を得るためには、被清掃面に強く接触できるようにしたり、除塵体（シート体）の振動範囲を広くしたり、又は、被清掃面への除塵体（シート体）の接触回数を多くしたりすることが必要であり、そのために掃除具の大型化が避けられない。
【０００７】
この発明は、このような課題を解決するためになされたものである。その目的は、小型軽量で使い勝手がよく、かつ、気流及び除塵体（シート体）による相乗的な塵埃除去効果を得ることができる掃除具及び電気掃除機を得ることにある。
【課題を解決するための手段】
【０００８】
この発明に係る掃除具は、端部に開口が形成された中空筒状のノズル部と、一端が前記ノズル部に対して支持され、前記ノズル部内から前記開口を通じて吹き出す気流の存在時に、前記気流によって前記開口を通り前記ノズル部の内側と外側とにわたって配置される除塵体と、を備える。
【０００９】
または、この発明に係る掃除具は、端部に開口が形成された中空筒状のノズル部と、一端が前記ノズル部に対して支持され、前記ノズル部内へと前記開口を通じて吸い込む気流の存在時に、前記気流によって前記開口の内側と外側とにわたって配置される除塵体と、を備える。
【００１０】
この発明に係る電気掃除機は、上述のように構成された掃除具と、前記気流を発生させるための送風機と、を備える。
【発明の効果】
【００１１】
この発明に係る掃除具及び電気掃除機においては、小型軽量で使い勝手がよく、かつ、気流及び除塵体（シート体）による相乗的な塵埃除去効果を得ることができるという効果を奏する。
【図面の簡単な説明】
【００１２】
【図１】この発明の実施の形態１に係る掃除具を備えた電気掃除機の全体外観を示す斜視図である。
【図２】この発明の実施の形態１に係る掃除具の側方断面図である。
【図３】この発明の実施の形態１に係る掃除具の先端の外観を示す斜視図である。
【図４】この発明の実施の形態１に係る掃除具の除塵体をノズル部から取り外した状態を示す斜視図である。
【図５】この発明の実施の形態１に係る掃除具の除塵体のノズル部に対する位置を変更した状態を示す側方断面図である。
【図６】この発明の実施の形態１に係る掃除具の動作を説明する斜視図である。
【図７】この発明の実施の形態１に係る掃除具の被清掃面での掃除動作を説明する側面図である。
【図８】この発明の実施の形態１に係る掃除具の除塵体のノズル部に対する位置を変更した状態での動作を説明する斜視図である。
【図９】この発明の実施の形態２に係る掃除具の先端の外観を示す斜視図である。
【図１０】この発明の実施の形態２に係る掃除具の側方断面図である。
【図１１】この発明の実施の形態２に係る掃除具の動作を説明する斜視図である。
【図１２】この発明の実施の形態３に係る掃除具の側方断面図である。
【図１３】この発明の実施の形態４に係る掃除具の側方断面図である。
【図１４】この発明の実施の形態５に係る掃除具の側方断面図である。
【図１５】この発明の実施の形態５に係る掃除具の小風量での動作時の側方断面図である。
【図１６】この発明の実施の形態５に係る掃除具の大風量での動作時の側方断面図である。
【図１７】この発明の実施の形態６に係る掃除具の側方断面図である。
【図１８】この発明の実施の形態６に係る掃除具の動作時の側方断面図である。
【図１９】この発明の実施の形態７に係る掃除具の動作時の側方断面図である。
【図２０】この発明の実施の形態８に係る掃除具の側方断面図である。
【図２１】この発明の実施の形態８に係る掃除具の動作時の側方断面図である。
【図２２】この発明の実施の形態９に係る掃除具の側方断面図である。
【図２３】この発明の実施の形態９に係る掃除具の除塵体ユニットの側方断面図である。
【図２４】この発明の実施の形態９に係る掃除具の動作時の側方断面図である。
【図２５】この発明の実施の形態９に係る掃除具のノズル部を屈曲させた状態での動作時の斜視図である。
【図２６】この発明の実施の形態９に係る掃除具のノズル部を屈曲させた状態での動作時の側方断面図である。
【図２７】この発明の実施の形態９に係る掃除具のノズル先端部の向きを変えた状態での動作時の斜視図である。
【図２８】この発明の実施の形態１０に係る掃除具を備えた電気掃除機の全体外観を示す斜視図である。
【図２９】この発明の実施の形態１０に係る掃除具の側方断面図である。
【図３０】この発明の実施の形態１０に係る掃除具の先端の外観を示す斜視図である。
【図３１】この発明の実施の形態１０に係る掃除具の動作を説明する斜視図である。
【図３２】この発明の実施の形態１０に係る掃除具の被清掃面での掃除動作を説明する側面図である。
【図３３】この発明の実施の形態１１に係る掃除具の先端の外観を示す斜視図である。
【図３４】この発明の実施の形態１２に係る掃除具の先端の外観を示す斜視図である。
【図３５】この発明の実施の形態１３に係る掃除具の先端の外観を示す斜視図である。
【図３６】この発明の実施の形態１４に係る掃除具の先端の外観を示す斜視図である。
【発明を実施するための形態】
【００１３】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１４】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１５】
実施の形態１．
図１から図８は、この発明の実施の形態１に係るもので、図１は掃除具を備えた電気掃除機の全体外観を示す斜視図、図２は掃除具の側方断面図、図３は掃除具の先端の外観を示す斜視図、図４は掃除具の除塵体をノズル部から取り外した状態を示す斜視図、図５は掃除具の除塵体のノズル部に対する位置を変更した状態を示す側方断面図、図６は掃除具の動作を説明する斜視図、図７は掃除具の被清掃面での掃除動作を説明する側面図、図８は掃除具の除塵体のノズル部に対する位置を変更した状態での動作を説明する斜視図である。
【００１６】
図１に示すように、この発明の実施の形態１に係る掃除具５が用いられる電気掃除機１は、例えば、掃除機本体２、ホース３及び接続パイプ４を備えている。掃除機本体２は、含塵空気から塵埃を分離して清浄空気を送出するものである。掃除機本体２には、集塵部２ａと電動送風機２ｂとが備えられている。集塵部２ａは、掃除機本体２へと流入した含塵空気中の塵埃を捕捉して集める。電動送風機２ｂは、掃除機本体２の集塵部２ａへと含塵空気を吸引し、清浄空気を送出する気流を作り出すためのものである。
【００１７】
掃除機本体２には、吸気口２ｃ及び排気口２ｄが設けられている。吸気口２ｃは掃除機本体２の前端部に配置されている。吸気口２ｃは掃除機本体２に含塵空気を吸引するための開口である。排気口２ｄは掃除機本体２の後端部に配置されている。排気口２ｄは掃除機本体２から清浄空気を送出するための開口である。
【００１８】
ホース３は、蛇腹により可撓性を備えた筒状の部材からなる。このホース３の一端部は、吸気口２ｃ及び排気口２ｄのいずれにも接続可能に構成されている。ホース３の一端部を吸気口２ｃに接続すると、ホース３の他端部から空気を吸い込むことができる。ホース３の一端部を排気口２ｄに接続すると、ホース３の他端部から空気を吹き出すことができる。この実施の形態１に係る掃除具５を使用する際には、図１に示すように、ホース３の一端部を排気口２ｄに接続する。
【００１９】
ホース３の他端部には、接続パイプ４の一端部が接続される。この接続パイプ４は、途中で折れ曲がった中空円筒状の部材からなる。接続パイプ４には、ハンドル４ａが設けられている。ハンドル４ａは、電気掃除機１の使用者が持って操作するためのものである。ハンドル４ａには、電気掃除機１の運転を制御するための操作スイッチが設けられている。
【００２０】
接続パイプ４の他端部には、掃除具５が接続される。この掃除具５は、掃除機本体２の排気口２ｄからホース３を経由して送られる清浄空気を送出する。そして、掃除具５から吹き出す気流で被清掃面の塵埃を吹き飛ばして除去する送風清掃を行うためのものである。
【００２１】
図２から図５を参照しながら、この発明の実施の形態１に係る掃除具５の構成について説明する。これらの図に示すように、掃除具５は、ノズル部６、除塵体７、支持具８及び支持具取付部材９を備えている。
【００２２】
図２及び図３に示すように、ノズル部６は、例えば樹脂からなる中空の筒体である。ノズル部６の一端部は円筒状に構成されている。ノズル部６のこの一端部は、接続パイプ４に着脱可能に接続される。ノズル部６の他端部には、開口１０が形成されている。開口１０の開口面の形状は、長手方向と短手方向とを有する。具体的に例えば、開口１０の開口面の形状は、縦４０ミリメートル、横２０ミリメートルの角に丸みを有する矩形状である。このように、ノズル部６は、端部に開口１０が形成された中空筒状を呈する。
【００２３】
除塵体７は、矩形状又は短冊状を呈する薄板状のシート体からなる。除塵体７は、除塵体７の周囲に一定以上の風速の気流がある場合に、この気流の作用によりはためいて振動することができる程度に十分な柔軟性を備えた素材からなる。このような素材としては、具体的に例えば、紙、織物組識や編物組識からなる各種の布、不織布、プラスチックシート、ビニールシート等を用いることができる。ここでは、除塵体７は、ポリエステルのマイクロファイバーからなる繊維シート体である。除塵体７の各種サイズは、具体的に例えば、幅１５ミリメートル、長さ１２０ミリメートル、厚み１ミリメートルである。
【００２４】
支持具８は、Ｌ字状を呈する部材である。支持具８は、具体的に例えばステンレス製の棒を折り曲げて構成される。支持具取付部材９は、開口１０の上縁部に取り付けられている。支持具取付部材９には、支持具８のＬ字状の一辺側が固定される。支持具８のＬ字状の前記一辺側は、ノズル部６の内周面に沿って配置される。支持具８のＬ字状の他辺側は、ノズル部６の内周面に対して垂直に配置される。
【００２５】
支持具８のＬ字状の前記他辺側には、除塵体７の一端が取り付けられる。この支持具８への除塵体７の取付部分の構成は、例えば以下のようになっている。除塵体７の一端部が折り返されて縫製されている。そして、支持具８のＬ字状の前記他辺側が、除塵体７の一端の折り返し部分の内側に差し込まれる。そして、支持具８のＬ字状の前記他辺側の先端部は折り返されている。このため、除塵体７が支持具８から容易に外れないようになっている。
【００２６】
このようにして、支持具８及び支持具取付部材９によって、除塵体７の一端は、ノズル部６に対して相対的に固定されて支持されている。そして、支持具８及び支持具取付部材９は、除塵体７の前記一端を開口１０よりもノズル部６の内側で支持する支持手段を構成している。また、除塵体７の最大面積を有する表裏両面は、ノズル部６の矩形断面の長手方向と平行に配置される。つまり、除塵体７の表裏両面は、ノズル部６の先端を構成する左右の内周面と平行に配置されている。
【００２７】
図４に示すように、ノズル部６の開口１０の上縁部すなわち支持具取付部材９を取り付ける部分には、スリット１１が形成されている。スリット１１は、開口１０の開口面に垂直な方向に沿って設けられている。支持具取付部材９は、このスリット１１内に着脱可能に取り付けられる。したがって、同図に示すように、支持具取付部材９、支持具８及び除塵体７は、一体となってノズル部６に着脱することができる。
【００２８】
また、支持具取付部材９は、スリット１１の範囲内でノズル部６に対して移動可能に取り付けられる。したがって、支持具取付部材９、支持具８及び除塵体７は、一体となってノズル部６に対する位置を変更することができる。つまり、支持手段で除塵体７を支持する位置すなわち除塵体７の前記一端部の位置を、ノズル部６に対して相対的に移動させることができる。図２及び図３に示すのは、支持手段で除塵体７を支持する位置を開口１０に近づけた場合の例である。一方、図５に示すのは、支持手段で除塵体７を支持する位置を開口１０から遠ざけた場合の例である。
【００２９】
次に、図６から図８を参照しながら、掃除具５の使用時の動作について説明する。使用者がハンドル４ａの操作スイッチを操作すること等により電動送風機２ｂが動作を開始すると、掃除機本体２の排気口２ｄから送出された清浄空気は、ホース３、接続パイプ４を通ってノズル部６内に流入し、開口１０から吹き出される。この際の気流を図２、図５から図８では、矢印Ａで示す。以下においては、この気流を気流Ａと呼ぶ。気流Ａは、ノズル部６内から開口１０を通じて吹き出す気流である。
【００３０】
除塵体７は、気流Ａの存在時に、気流Ａに吹かれて、開口１０を通りノズル部６の内側と外側とにわたって配置される。したがって、除塵体７の一部はノズル部６内の気流Ａの中に配置される。このため、除塵体７の周囲を気流Ａが通過する。除塵体７の面に沿って気流Ａが流れると、除塵体７は柔軟性を有するシート体であるため、気流Ａが除塵体７の面の部分的な起伏を通過する際に、除塵体７の面の表側と裏側に気圧の差が生じる。除塵体７はこの気圧差により力を受けて、表側と裏側のいずれかの方向に変位する。そして、この変位が除塵体７の全体に伝搬することにより、除塵体７は高い周波数で自励振動する。
【００３１】
すなわち、除塵体７は、開口１０よりもノズル部６の内側で高速な気流Ａによって自励振動する。そして、開口１０よりもノズル部６の外側に延びる先端部まで振動のエネルギーが伝搬して、除塵体７全体が振動する。図６中の破線は除塵体７が振動した状態の一例を示している。除塵体７の振動の方向は、主に開口１０の短手方向である。ただし、除塵体７の柔軟性により振動の方向は複雑に変化し、除塵体７は複雑に動き回る。
【００３２】
気流Ａは、ノズル部６内を通過して開口１０から外に送出されると膨張し、開口１０から離れるほど風速が低下する。したがって、除塵体７の開口１０よりもノズル部６の外側に配置される部分（以下において、この部分を「露出部分」ともいう）では、気流Ａによる自励振動の効果が小さくなる。ここで、除塵体７の露出部分の先端は支持されていない自由端である。このため、気流Ａの上流側での振動エネルギーが伝搬すると、除塵体７の露出部分は大きく変位する。
【００３３】
また、除塵体７の先端部はノズル部６の外側にあるため、変位を制限するものがない。このため、除塵体７の先端部は、自励振動の方向以外の方向にも変位することができ、複雑に動き回る。そして、複雑に揺動する除塵体７の先端部は、開口１０から膨張しながら送出される気流Ａから力を受けて、その動きがさらに複雑になる。
【００３４】
このように、除塵体７は、開口１０よりもノズル部６の内側では、気流Ａによって継続的に自励振動される。自励振動のエネルギーは継続的に除塵体７の露出部分に伝搬され、除塵体７は、開口１０よりもノズル部６の外側で大きく変位しながら複雑に動き回る。このため、開口１０の外側において気流Ａが届かない範囲にまで、除塵体７の露出部分が変位することができる。
【００３５】
図７に示すのは、掃除具５を使用して被清掃面Ｆに付着した塵埃を除去する送風清掃を行う場合の例である。気流Ａにより動き回る除塵体７を被清掃面Ｆに近接させると、除塵体７の先端部は複雑に動き回りながら被清掃面Ｆに接触し、摩擦する。一方、開口１０から送出された気流Ａは、被清掃面Ｆに当たると向きを変えて、被清掃面Ｆに沿って流れる（気流Ｂ）。この際、前述したように、除塵体７は、ノズル部６内の気流Ａを受けて励起される自励振動のエネルギーによって、露出部分を含む全体が振動する。このため、開口１０の外側で気流Ａが被清掃面Ｆに当たって方向を変えても、除塵体７の露出部分は振動して状態で被清掃面Ｆに接触し、摩擦することができる。そして、被清掃面Ｆに付着した塵埃は、除塵体７の摩擦力と気流Ａの風圧とにより引き剥がされる。
【００３６】
ここで、前述したように、支持手段で除塵体７を支持する位置すなわち除塵体７の前記一端部の位置を、ノズル部６に対して相対的に移動させることができる。したがって、除塵体７は、開口１０よりもノズル部６の外側に配置される露出部分の長さが変化可能である。
【００３７】
そこで、図８に示すように、支持具取付部材９を後方（気流Ａの上流側）にした場合、除塵体７の露出部分の長さが短くなる。すると、露出部分の長さが短くなった分だけ、除塵体７の露出部分の先端部の振幅が制限される。このため、除塵体７の自励振動の周波数が高くなり、除塵体７の露出部分の先端部の移動速度が上昇する。除塵体７の露出部分の先端部の移動速度が上昇すると、除塵体７による被清掃面Ｆ上の塵埃の除去効果が高くなる。
【００３８】
このように、除塵体７の露出部分の長さを変化可能にすることで、除塵体７の到達可能な範囲と除塵能力とを調節することができる。このため、対象とする被清掃面Ｆの状態、塵埃付着の度合い等に応じて除塵体７の到達可能な範囲と除塵能力とを調節し、様々な被清掃面Ｆの状態、塵埃付着の度合い等に対応することが可能である。
【００３９】
以上のように構成された掃除具５及び電気掃除機１は、気流の力を利用して高い除塵効果を得ることができる。また、電気的な駆動源を必要としないため、掃除具５の小型化、軽量化を図ることが可能である。ここで、気流の作用によって生じる除塵体７の振動の強度つまり自励振動のエネルギー量は、気流の風量、風速、ノズル部６の開口１０の形状、サイズ、除塵体７の質量、柔軟性、長さ、幅、厚み等の要素によって変化する。このため、これらの要素を調節することにより、様々な被清掃面の状態、塵埃付着の度合い等に適した構成にすることができる。
【００４０】
なお、ここで説明した例においては、除塵体７はマイクロファイバーからなる繊維シートである。すなわち、シート体は、マイクロファイバーを含んでいる。このため、除塵体７で、被清掃面上の微細な塵埃を除去することができる。
【００４１】
また、除塵体７は、帯電防止処理を施した素材を備えるようにしてもよい。具体的に例えば、除塵体７をカーボン等の帯電防止剤を添加した材料によって構成する。カーボンは繊維状でも構わない。また、アニオン系、カチオン系又はノニオン系の界面活性剤といった有機化合物からなる帯電防止剤を除塵体７に添加してもよい。あるいは、前述したような有機化合物からなる帯電防止剤を塗布した材料によって除塵体７を構成してもよい。このようにすることで、除塵体７と被清掃面との摩擦によって発生する静電気を低減できる。したがって、被清掃面及び塵埃の帯電を抑制し、清掃後の被清掃面への塵埃の付着を低減することが可能である。
【００４２】
また、除塵体７及びノズル部６の内面の一方又は両方は、抗菌処理を施した素材を備えるようにしてもよい。このようにすることで、除塵体７及びノズル部６の内面の一方又は両方に付着した雑菌の増殖を抑制することができる。
【００４３】
なお、以上においては、ノズル部６の開口１０の開口面の形状が、縦４０ミリメートル、横２０ミリメートルの角に丸みを有する矩形の場合について説明したが、これに限るものではない。除塵体７が自励振動する形状であれば、開口１０の開口面の形状は、縦横が同じ長さの矩形又は円等でもよい。
【００４４】
以上のように構成された掃除具５及び電気掃除機１は、ノズル部６内から開口１０を通じて吹き出す気流Ａの存在時に、この気流Ａによって開口１０を通りノズル部６の内側と外側とにわたって配置される除塵体７を備えている。このため、除塵体７は、開口１０よりもノズル部６の内側で高速な気流Ａによって自励振動する。そして、開口１０よりもノズル部６の外側に配置される除塵体７の露出部分は、前述の自励振動の伝搬を受けて、広範囲で振動する。つまり、ノズル部６の内側における高速な気流Ａでもって励起される自励振動の高いエネルギーでもって、除塵体７の露出部分を高い周波数で広範囲にわたって振動させることができる。したがって、小型軽量で使い勝手がよく、かつ、気流及び除塵体（シート体）による相乗的な塵埃除去効果を得ることができる。
【００４５】
実施の形態２．
図９から図１１は、この発明の実施の形態２に係るもので、図９は掃除具の先端の外観を示す斜視図、図１０は掃除具の側方断面図、図１１は掃除具の動作を説明する斜視図である。
【００４６】
ここで説明する実施の形態２は、前述した実施の形態１の構成において、掃除具５が複数の除塵体７を備えるようにしたものである。以下、この実施の形態２に係る掃除具及び電気掃除機について、実施の形態１の構成を元にした場合を例に挙げ、実施の形態１との相違点を中心に説明する。
【００４７】
図９及び図１０に示すように、この発明の実施の形態２に係る掃除具５は、第１の除塵体７ａと第２の除塵体７ｂを備えている。以下においては、第１の除塵体７ａと第２の除塵体７ｂとを区別せず総称する場合には除塵体７という。すなわち、掃除具５は、複数の除塵体７を備えている。そして、ここで説明する例では、除塵体７は、第１の除塵体７ａと第２の除塵体７ｂの２つ設けられている。第１の除塵体７ａと第２の除塵体７ｂは、いずれも細長のシート体である。
【００４８】
第１の除塵体７ａ及び第２の除塵体７ｂは、開口１０の開口面形状の長手方向に沿って並べて配置されている。第１の除塵体７ａの形状と第２の除塵体７ｂの形状とは、この例では同じである。第１の除塵体７ａの一端は、支持具８によって支持されている。第２の除塵体７ｂの一端も、同じく支持具８によって支持されている。支持具８及び支持具取付部材９は、複数の除塵体７のそれぞれの一端を開口１０よりもノズル部６の内側で支持する支持手段である。また、第１の除塵体７ａ及び第２の除塵体７ｂのいずれも、最大面積を有する表裏両面が、ノズル部６の矩形断面の長手方向と平行に配置されている。
【００４９】
次に、図１１を参照しながら、掃除具５の使用時の動作について説明する。接続パイプ４に掃除具５が接続された状態で電動送風機２ｂが動作を開始すると、ノズル部６内から開口１０を通じて吹き出す気流Ａが生成される。第１の除塵体７ａは、気流Ａの存在時に、気流Ａに吹かれて、開口１０を通りノズル部６の内側と外側とにわたって配置される。同様に、第２の除塵体７ｂも、気流Ａの存在時に、気流Ａに吹かれて、開口１０を通りノズル部６の内側と外側とにわたって配置される。
【００５０】
気流Ａによって、第１の除塵体７ａの主に開口１０よりもノズル部６の内側の部分において自励振動が励起される。そして、第１の除塵体７ａの露出部分にまで、自励振動のエネルギーが伝搬され、第１の除塵体７ａの露出部分が激しく動き回る。また、同じく気流Ａによって、第２の除塵体７ｂについても、主に開口１０よりもノズル部６の内側の部分において自励振動が励起される。そして、第２の除塵体７ｂの露出部分にまで、自励振動のエネルギーが伝搬され、第２の除塵体７ｂの露出部分が激しく動き回る。
【００５１】
前述したように、第１の除塵体７ａ及び第２の除塵体７ｂのいずれも、最大面積を有する表裏両面が、ノズル部６の矩形断面の長手方向と平行に配置されている。このため、第１の除塵体７ａと第２の除塵体７ｂの自励振動の方向は、主にノズル部６の矩形断面の短手方向になる。したがって、第１の除塵体７ａと第２の除塵体７ｂが互いに干渉することがない。つまり、第１の除塵体７ａと第２の除塵体７ｂがお互いの振動を弱め合うことなく独立に振動することができる。
なお、他の構成及び動作については実施の形態１と同様であり、ここでは、その説明を省略する。
【００５２】
以上のように構成された掃除具及び電気掃除機においても、実施の形態１と同様の効果を奏することができる。さらに、複数の除塵体７を備えることにより、被清掃面への除塵体７の接触回数が増加するため、塵埃の除去効果を向上することが可能である。
【００５３】
実施の形態３．
図１２は、この発明の実施の形態３に係るもので、掃除具の側方断面図である。
【００５４】
ここで説明する実施の形態３は、前述した実施の形態１又は実施の形態２の構成において、掃除具５の除塵体７を、気流の下流側と上流側とで柔軟性及び質量の一方又は両方を異ならせたものである。以下、この実施の形態３に係る掃除具及び電気掃除機について、実施の形態２の構成を元にした場合を例に挙げ、実施の形態２との相違点を中心に説明する。
【００５５】
この発明の実施の形態３に係る掃除具５は、図１２に示すように、第１の除塵体７ａと第２の除塵体７ｂを備えている。第１の除塵体７ａと第２の除塵体７ｂは、それぞれ除塵体先端部分７ｃと除塵体根元部分７ｄとから構成されている。それぞれの除塵体７における除塵体先端部分７ｃと除塵体根元部分７ｄとでは、柔軟性及び質量の一方又は両方が異なるように構成されている。
【００５６】
具体的に例えば、第１の除塵体７ａの除塵体先端部分７ｃは、幅２０ミリメートル、長さ６０ミリメートル、厚み１ミリメートルのサイズを有するポリエステルのマイクロファイバーの繊維シートからなる。第１の除塵体７ａの除塵体根元部分７ｄは、幅１５ミリメートル、長さ４０ミリメートル、厚み０．５ミリメートルのサイズを有するポリ塩化ビニルのシートからなる。
【００５７】
また、第２の除塵体７ｂの除塵体先端部分７ｃは、幅２０ミリメートル、長さ５０ミリメートル、厚み１ミリメートルのサイズを有するポリエステルのマイクロファイバーの繊維シートからなる。第２の除塵体７ｂの除塵体根元部分７ｄは、幅２０ミリメートル、長さ７０ミリメートル、厚み０．５ミリメートルのポリ塩化ビニルのシートからなる。それぞれの除塵体７は、以上のような材質の除塵体先端部分７ｃと除塵体根元部分７ｄとが接合されて形成されている。
【００５８】
第１の除塵体７ａ及び第２の除塵体７ｂは、開口１０の開口面形状の長手方向に沿って並べて配置されている。それぞれの除塵体７の一端は、支持具８によって支持されている。支持具８及び支持具取付部材９は、それぞれの除塵体７の一端を開口１０よりもノズル部６の内側で支持する支持手段である。また、それぞれの除塵体７は、最大面積を有する表裏両面が、ノズル部６の矩形断面の長手方向と平行に配置されている。
【００５９】
それぞれの除塵体７において、除塵体根元部分７ｄは除塵体先端部分７ｃよりも支持具８によって支持される側に配置される。それぞれの除塵体７において、除塵体根元部分７ｄは、除塵体先端部分７ｃよりも剛性が高く（すなわち、柔軟性が低く）、かつ、体積当たりの質量が大きい。すなわち、ここで説明した例では、それぞれの除塵体７における除塵体先端部分７ｃと除塵体根元部分７ｄとで、柔軟性及び質量の両方が異なるように構成されている。
【００６０】
次に、掃除具５の使用時の動作について説明する。接続パイプ４に掃除具５が接続された状態で電動送風機２ｂが動作を開始すると、ノズル部６内から開口１０を通じて吹き出す気流Ａが生成される。第１の除塵体７ａは、気流Ａの存在時に、気流Ａに吹かれて、開口１０を通りノズル部６の内側と外側とにわたって配置される。同様に、第２の除塵体７ｂも、気流Ａの存在時に、気流Ａに吹かれて、開口１０を通りノズル部６の内側と外側とにわたって配置される。
【００６１】
気流Ａによって、第１の除塵体７ａの主に開口１０よりもノズル部６の内側の部分において自励振動が励起される。そして、第１の除塵体７ａの露出部分にまで、自励振動のエネルギーが伝搬され、第１の除塵体７ａの露出部分が激しく動き回る。この際、第１の除塵体７ａにおいて、除塵体先端部分７ｃは除塵体根元部分７ｄよりも気流Ａの下流側に配置される。したがって、第１の除塵体７ａについて、気流Ａの下流側が上流側よりも柔軟性が高い。また、第１の除塵体７ａについて、気流Ａの下流側が上流側よりも質量が小さい。また、第１の除塵体７ａの除塵体根元部分７ｄの大部分は、開口１０よりもノズル部６の内側に配置される。
【００６２】
したがって、相対的に柔軟性が低く、かつ質量が大きい除塵体根元部分７ｄは、ノズル部６内で高速に自励振動する。そして、除塵体先端部分７ｃは、相対的に柔軟性が高く、かつ質量が小さいため、除塵体根元部分７ｄから伝搬される自励振動のエネルギーの減衰量を小さく抑えることができる。これにより、除塵体先端部分７ｃの動きが強く大きくなり、第１の除塵体７ａの塵埃除去効果を高めることが可能である。
【００６３】
同様に、気流Ａによって、第２の除塵体７ｂの主に開口１０よりもノズル部６の内側の部分において自励振動が励起される。そして、第２の除塵体７ｂの露出部分にまで、自励振動のエネルギーが伝搬され、第２の除塵体７ｂの露出部分が激しく動き回る。この際、第２の除塵体７ｂにおいても、除塵体先端部分７ｃは除塵体根元部分７ｄよりも気流Ａの下流側に配置される。したがって、第２の除塵体７ｂについて、気流Ａの下流側が上流側よりも柔軟性が高い。また、第２の除塵体７ｂについて、気流Ａの下流側が上流側よりも質量が小さい。また、第２の除塵体７ｂの除塵体根元部分７ｄの大部分は、開口１０よりもノズル部６の内側に配置される。
【００６４】
したがって、相対的に柔軟性が低く、かつ質量が大きい除塵体根元部分７ｄは、ノズル部６内で高速に自励振動する。そして、除塵体先端部分７ｃは、相対的に柔軟性が高く、かつ質量が小さいため、除塵体根元部分７ｄから伝搬される自励振動のエネルギーの減衰量を小さく抑えることができる。これにより、除塵体先端部分７ｃの動きが強く大きくなり、第２の除塵体７ｂの塵埃除去効果を高めることが可能である。
なお、他の構成及び動作については実施の形態１又は実施の形態２と同様であり、ここでは、その説明を省略する。
【００６５】
以上のように構成された掃除具及び電気掃除機においても、実施の形態１又は実施の形態２と同様の効果を奏することができる。さらに、掃除具５の除塵体７について、気流の下流側が上流側よりも柔軟性を高くし、気流の下流側が上流側よりも質量を小さくすることで、除塵体７の自励振動周波数を高くすることができると同時に、自励振動のエネルギーを減衰させることなく除塵体７の先端まで伝搬させることができる。このため、除塵体７の塵埃除去効果を向上することが可能である。
【００６６】
なお、以上で説明した例では、複数の除塵体７は、全長が異なる。具体的にここで説明した例では、第１の除塵体７ａの全長は第２の除塵体７ｂの全長より短い。したがって、第１の除塵体７ａは第２の除塵体７ｂよりも高速で振動する。一方、第２の除塵体７ｂは第１の除塵体７ａよりも広範囲に変位できる。このため、多様な被清掃面及び塵埃の種類に対して除去効果を高めることが可能である。
【００６７】
実施の形態４．
図１３は、この発明の実施の形態４に係るもので、掃除具の側方断面図である。
【００６８】
ここで説明する実施の形態４は、前述した実施の形態１から実施の形態３のいずれかの構成において、除塵体７は、気流の下流側の先端部に振動増幅体を備えるようにしたものである。以下、この実施の形態４に係る掃除具及び電気掃除機について、実施の形態３の構成を元にした場合を例に挙げ、実施の形態３との相違点を中心に説明する。
【００６９】
この発明の実施の形態４に係る掃除具５は、図１３に示すように、第１の除塵体７ａの除塵体先端部分７ｃの先端に振動増幅体７ｅが設けられている。同様に、第２の除塵体７ｂの除塵体先端部分７ｃの先端に振動増幅体７ｅが設けられている。振動増幅体７ｅは、除塵体先端部分７ｃのシートの厚み方向の表裏のそれぞれに突出して形成されている。
【００７０】
次に、掃除具５の使用時の動作について説明する。接続パイプ４に掃除具５が接続された状態で電動送風機２ｂが動作を開始すると、ノズル部６内から開口１０を通じて吹き出す気流Ａが生成される。第１の除塵体７ａは、気流Ａの存在時に、気流Ａに吹かれて、開口１０を通りノズル部６の内側と外側とにわたって配置される。同様に、第２の除塵体７ｂも、気流Ａの存在時に、気流Ａに吹かれて、開口１０を通りノズル部６の内側と外側とにわたって配置される。
【００７１】
気流Ａによって、第１の除塵体７ａの主に開口１０よりもノズル部６の内側の部分において自励振動が励起される。そして、第１の除塵体７ａの露出部分にまで、自励振動のエネルギーが伝搬され、第１の除塵体７ａの露出部分が激しく動き回る。この際、第１の除塵体７ａの周囲を通過する気流が第１の除塵体７ａの振動増幅体７ｅに当たることで、第１の除塵体７ａの除塵体先端部分７ｃはさらに強く大きく動く。
【００７２】
同様に、気流Ａによって、第２の除塵体７ｂの主に開口１０よりもノズル部６の内側の部分において自励振動が励起される。そして、第２の除塵体７ｂの露出部分にまで、自励振動のエネルギーが伝搬され、第２の除塵体７ｂの露出部分が激しく動き回る。この際、第２の除塵体７ｂの周囲を通過する気流が第２の除塵体７ｂの振動増幅体７ｅに当たることで、第２の除塵体７ｂの除塵体先端部分７ｃはさらに強く大きく動く。
なお、他の構成及び動作については実施の形態１から実施の形態３のいずれかと同様であり、ここでは、その説明を省略する。
【００７３】
以上のように構成された掃除具及び電気掃除機においても、実施の形態１から実施の形態３のいずれかと同様の効果を奏することができる。除塵体７の気流の下流側の先端部に振動増幅体７ｅを設けることで、除塵体７の露出部分の動きをより強く大きくすることができ、除塵体７の塵埃除去効果を向上することが可能である。
【００７４】
実施の形態５．
図１４から図１６は、この発明の実施の形態５に係るもので、図１４は掃除具の側方断面図、図１５は掃除具の小風量での動作時の側方断面図、図１６は掃除具の大風量での動作時の側方断面図である。
【００７５】
ここで説明する実施の形態５は、前述した実施の形態１から実施の形態４のいずれかの構成において、除塵体７の一端を、弾性体を介して支持するようにしたものである。以下、この実施の形態５に係る掃除具及び電気掃除機について、実施の形態３の構成を元にした場合を例に挙げ、実施の形態３との相違点を中心に説明する。
【００７６】
この発明の実施の形態５に係る掃除具５は、図１４に示すように、第１の除塵体７ａと第２の除塵体７ｂを備えている。第１の除塵体７ａと第２の除塵体７ｂは、それぞれ除塵体先端部分７ｃと除塵体根元部分７ｄとから構成されている。
【００７７】
具体的に例えば、第１の除塵体７ａの除塵体先端部分７ｃは、幅２０ミリメートル、長さ１００ミリメートル、厚み１ミリメートルのサイズを有するポリエステルのマイクロファイバーの繊維シートを折り返してループ状に構成される。第１の除塵体７ａの除塵体根元部分７ｄは、幅１５ミリメートル、長さ３０ミリメートル、厚み０．５ミリメートルのサイズを有するポリ塩化ビニルのシートからなる。
【００７８】
また、第２の除塵体７ｂの除塵体先端部分７ｃは、幅２０ミリメートル、長さ１２０ミリメートル、厚み１ミリメートルのサイズを有するポリエステルのマイクロファイバーの繊維シートを折り返してループ状に構成される。第２の除塵体７ｂの除塵体根元部分７ｄは、幅２０ミリメートル、長さ５０ミリメートル、厚み０．５ミリメートルのポリ塩化ビニルのシートからなる。それぞれの除塵体７は、以上のような材質の除塵体先端部分７ｃと除塵体根元部分７ｄとが接合されて形成されている。
【００７９】
第１の除塵体７ａ及び第２の除塵体７ｂは、開口１０の開口面形状の長手方向に沿って並べて配置されている。それぞれの除塵体７の一端は、支持具８に接続されている。この実施の形態５における支持具８は、直状の部材である。
【００８０】
この実施の形態５における支持具取付部材９は、連結紐９ａ及びバネ９ｂを備えている。連結紐９ａの一端は支持具８に接続されている。連結紐９ａの他端は、バネ９ｂの一端に接続されている。バネ９ｂの他端は、ノズル部６の開口１０とは反対側の端部に固定されている。バネ９ｂは引きバネである。支持具８及び支持具取付部材９は、それぞれの除塵体７の一端を開口１０よりもノズル部６の内側で支持する支持手段である。そして、支持手段は、弾性体であるバネ９ｂを介してそれぞれの除塵体７の一端を支持している。また、支持具８は、連結紐９ａの前記一端に着脱可能に取り付けられる。すなわち、除塵体７は、弾性体であるバネ９ｂに対して着脱可能に取り付けられる。
【００８１】
次に、掃除具５の使用時の動作について説明する。まず、図１４に示すように、ノズル部６内に気流が存在しない時には、除塵体７の全体が開口１０よりもノズル部６の内側に収容されている。そして、接続パイプ４に掃除具５が接続された状態で電動送風機２ｂが動作を開始すると、ノズル部６内から開口１０を通じて吹き出す気流Ａが生成される。第１の除塵体７ａは、気流Ａの存在時に、気流Ａに吹かれて、開口１０を通りノズル部６の内側と外側とにわたって配置される。同様に、第２の除塵体７ｂも、気流Ａの存在時に、気流Ａに吹かれて、開口１０を通りノズル部６の内側と外側とにわたって配置される。
【００８２】
気流Ａによって、第１の除塵体７ａの主に開口１０よりもノズル部６の内側の部分において自励振動が励起される。そして、第１の除塵体７ａの露出部分にまで、自励振動のエネルギーが伝搬され、第１の除塵体７ａの露出部分が激しく動き回る。同様に、気流Ａによって、第２の除塵体７ｂの主に開口１０よりもノズル部６の内側の部分において自励振動が励起される。そして、第２の除塵体７ｂの露出部分にまで、自励振動のエネルギーが伝搬され、第２の除塵体７ｂの露出部分が激しく動き回る。
【００８３】
この際、気流Ａを受けて、２つの除塵体７は、バネ９ｂの復元力に抗して開口１０から露出する方向へと移動する。そして、この移動によりバネ９ｂが伸長し、除塵体７が気流Ａから受ける力とバネ９ｂの復元力とが釣り合う位置で、除塵体７の移動が止まる。
【００８４】
図１５に示すのは、気流Ａが小風量のときの状態である。気流Ａが小風量の場合、気流Ａが除塵体７に及ぼす力は、次に述べる大風量の場合と比較して弱い。このため、同図に示すように、開口１０からの除塵体７の露出部分の長さが短くなる。例えば、気流Ａが小風量の場合、第１の除塵体７ａの除塵体先端部分７ｃの先端部分が開口１０から露出し、かつ、第２の除塵体７ｂの除塵体先端部分７ｃの約半分が開口１０から露出するように、電動送風機２ｂの風量とバネ９ｂのバネ定数が設定されている。したがって、除塵体７を弱く振動させることができる。
【００８５】
図１６に示すのは、気流Ａが大風量のときの状態である。気流Ａが大風量の場合、気流Ａが除塵体７に及ぼす力は、小風量の場合と比較して強い。このため、同図に示すように、開口１０からの除塵体７の露出部分の長さが長くなる。例えば、気流Ａが大風量の場合、第１の除塵体７ａの除塵体先端部分７ｃの全てが開口１０から露出し、かつ、第２の除塵体７ｂの除塵体先端部分７ｃの大部分が開口１０から露出するように、電動送風機２ｂの風量とバネ９ｂのバネ定数が設定されている。したがって、除塵体７を強く振動させることができる。
【００８６】
このように、ノズル部６から送出する気流Ａの風量を変えることにより、除塵体７の露出部分の長さを変化させて、除塵体７の振動の強さを変えることができる。このため、被清掃面、塵埃の状態等に適した掃除が可能となる。例えば、付着力が弱い塵埃を被清掃面から除去する場合、又は、被清掃面に大風量の気流を当てたくない場合等に、電気掃除機１を小風量で運転することにより、除塵体７を弱く振動させることができる。
【００８７】
また、電気掃除機１の運転停止後に気流Ａがなくなると、バネ９ｂが圧縮するため、除塵体７は自動的にノズル部６内に収容される。したがって、使用者がノズル部６を接続パイプ４に着脱する時等に、汚れの付着した除塵体７に使用者の手が触れにくく、衛生的に取り扱うことができる。また、除塵体７がノズル部６内に隠れるため、掃除具５の意匠性を向上することもできる。
【００８８】
なお、除塵体先端部分７ｃはループ状に構成されているため、除塵体７の周囲を通過する気流が除塵体先端部分７ｃのループ部に当たることで、除塵体７の揺動を強く、複雑にすることができる。このため、除塵体７の塵埃除去効果を高めることが可能である。
なお、他の構成及び動作については実施の形態１から実施の形態４のいずれかと同様であり、ここでは、その説明を省略する。
【００８９】
以上のように構成された掃除具及び電気掃除機においても、実施の形態１から実施の形態４のいずれかと同様の効果を奏することができる。さらに、ノズル部６から送出する気流Ａの風量に応じて除塵体７の露出部分の長さを変化させて、除塵体７の振動の強さを変えることができる。このため、さらに様々な被清掃面、塵埃の状態等に適した掃除が可能となる。
【００９０】
実施の形態６．
図１７及び図１８は、この発明の実施の形態６に係るもので、図１７は掃除具の側方断面図、図１８は掃除具の動作時の側方断面図である。
【００９１】
ここで説明する実施の形態６は、前述した実施の形態５の構成において、支持具取付部材９の連結紐９ａに、複数の除塵体７を直接に取り付けるようにしたものである。以下、この実施の形態６に係る掃除具及び電気掃除機について、実施の形態５の構成を元にした場合を例に挙げ、実施の形態５との相違点を中心に説明する。
【００９２】
この発明の実施の形態６に係る掃除具５は、図１７に示すように、第１の除塵体７ａ、第２の除塵体７ｂ及び第３の除塵体７ｆを備えている。具体的に例えば、第１の除塵体７ａは、幅３０ミリメートル、長さ１００ミリメートル、厚み２ミリメートルのサイズを有するポリエステルのマイクロファイバーの繊維シートである。第２の除塵体７ｂ及び第３の除塵体７ｆは、いずれも、幅３０ミリメートル、長さ１００ミリメートル、厚み１ミリメートルのサイズを有するポリエステルのマイクロファイバーの繊維シートである。したがって、第１の除塵体７ａは、第２の除塵体７ｂ及び第３の除塵体７ｆよりも剛性が高く（柔軟性が低く）、質量が大きい。
【００９３】
第１の除塵体７ａ、第２の除塵体７ｂ及び第３の除塵体７ｆの一端側は、第２の除塵体７ｂ、第１の除塵体７ａ、第３の除塵体７ｆの順で重ね合わされて、支持具取付部材９の連結紐９ａの一端に接続されている。第２の除塵体７ｂは、第１の除塵体７ａに対して約２０°だけ傾斜した状態で固定されている。第３の除塵体７ｆは、第１の除塵体７ａに対して第２の除塵体７ｂとは反対側に同じく約２０°だけ傾斜した状態で固定されている。
【００９４】
連結紐９ａの他端は、バネ９ｂの一端に接続されている。バネ９ｂの他端は、ノズル部６の開口１０とは反対側の端部に固定されている。支持具取付部材９は、それぞれの除塵体７の一端を開口１０よりもノズル部６の内側で支持する支持手段である。そして、支持手段は、弾性体であるバネ９ｂを介してそれぞれの除塵体７の一端を支持している。
【００９５】
次に、掃除具５の使用時の動作について説明する。まず、図１７に示すように、ノズル部６内に気流が存在しない時には、除塵体７の全体が開口１０よりもノズル部６の内側に収容されている。そして、接続パイプ４に掃除具５が接続された状態で電動送風機２ｂが動作を開始すると、ノズル部６内から開口１０を通じて吹き出す気流Ａが生成される。それぞれの除塵体７は、気流Ａの存在時に、気流Ａに吹かれて、開口１０を通りノズル部６の内側と外側とにわたって配置される。
【００９６】
気流Ａによって、それぞれの除塵体７の主に開口１０よりもノズル部６の内側の部分において自励振動が励起される。そして、それぞれの除塵体７の露出部分にまで、自励振動のエネルギーが伝搬され、それぞれの除塵体７の露出部分が激しく動き回る。
【００９７】
この際、気流Ａを受けて、除塵体７は、バネ９ｂの復元力に抗して開口１０から露出する方向へと移動する。そして、この移動によりバネ９ｂが伸長し、除塵体７が気流Ａから受ける力とバネ９ｂの復元力とが釣り合う位置で、除塵体７の移動が止まる。
【００９８】
気流Ａが小風量の場合、気流Ａが除塵体７に及ぼす力は、次に述べる大風量の場合と比較して弱い。このため、同図に示すように、開口１０からの除塵体７の露出部分の長さが短くなる。例えば、気流Ａが小風量の場合に除塵体７の全長の約３分の１が開口１０から露出し、かつ、気流Ａが大風量の場合に除塵体７の全長の約３分の２が開口１０から露出するように、電動送風機２ｂの風量とバネ９ｂのバネ定数が設定されている。
【００９９】
また、電気掃除機１の運転停止後に気流Ａがなくなると、バネ９ｂが圧縮するため、除塵体７は自動的にノズル部６内に収容される。したがって、使用者がノズル部６を接続パイプ４に着脱する時等に、汚れの付着した除塵体７に使用者の手が触れにくく、衛生的に取り扱うことができる。また、除塵体７がノズル部６内に隠れるため、掃除具５の意匠性を向上することもできる。
なお、他の構成及び動作については実施の形態５と同様であり、ここでは、その説明を省略する。
【０１００】
以上のように構成された掃除具及び電気掃除機においても、実施の形態５と同様の効果を奏することができる。さらに、第１の除塵体７ａは、第２の除塵体７ｂ及び第３の除塵体７ｆよりも剛性が高く、質量も大きい。このため、第１の除塵体７ａは、第２の除塵体７ｂ及び第３の除塵体７ｆよりも自励振動のエネルギーが大きい。第２の除塵体７ｂ及び第３の除塵体７ｆは、第１の除塵体７ａと部分的に重なって取り付けられている。このため、第２の除塵体７ｂ自身の自励振動、第３の除塵体７ｆ自身の自励振動の作用に加えて、第１の除塵体７ａの振動からも作用を受ける。したがって、第２の除塵体７ｂ及び第３の除塵体７ｆは、より複雑に振動する。
【０１０１】
また、第２の除塵体７ｂ及び第３の除塵体７ｆは、ノズル部６の軸方向に対して傾斜して配置されている。このため、除塵体７が開口１０よりもノズル部６の外側に露出すると、第２の除塵体７ｂ及び第３の除塵体７ｆは開口１０の長手方向に広がって振動する。したがって、第１の除塵体７ａ、第２の除塵体７ｂ及び第３の除塵体７ｆが、それぞれ複雑に広範囲にわたって振動して、除塵体７の塵埃除去効果を高めることができる。
【０１０２】
実施の形態７．
図１９は、この発明の実施の形態７に係るもので、掃除具の動作時の側方断面図である。
【０１０３】
ここで説明する実施の形態７は、前述した実施の形態１から実施の形態６のいずれかの構成において、ノズル部６の開口１０の開口面を、ノズル部６の軸方向、すなわちノズル部６内を通過する気流の方向に対して傾斜させたものである。以下、この実施の形態７に係る掃除具及び電気掃除機について、実施の形態６の構成を元にした場合を例に挙げ、実施の形態６との相違点を中心に説明する。
【０１０４】
この発明の実施の形態７に係る掃除具５においては、図１９に示すように、ノズル部６の開口１０の開口面が、ノズル部６の軸方向、すなわちノズル部６内を通過する気流の方向に対して傾斜している。図１９に示す例では、開口１０の開口面が下方を向くように傾斜している。したがって、開口１０の上縁は、下縁よりも前方に突出している。
【０１０５】
次に、掃除具５の使用時の動作について説明する。接続パイプ４に掃除具５が接続された状態で電動送風機２ｂが動作を開始すると、ノズル部６内から開口１０を通じて吹き出す気流Ａが生成される。それぞれの除塵体７は、気流Ａの存在時に、気流Ａに吹かれて、開口１０を通りノズル部６の内側と外側とにわたって配置される。
【０１０６】
気流Ａによって、それぞれの除塵体７の主に開口１０よりもノズル部６の内側の部分において自励振動が励起される。そして、それぞれの除塵体７の露出部分にまで、自励振動のエネルギーが伝搬され、それぞれの除塵体７の露出部分が激しく動き回る。
【０１０７】
気流Ａを受けて、除塵体７は、バネ９ｂの復元力に抗して開口１０から露出する方向へと移動する。そして、この移動によりバネ９ｂが伸長し、除塵体７が気流Ａから受ける力とバネ９ｂの復元力とが釣り合う位置で、除塵体７の移動が止まる。この際、開口１０の開口面が、ノズル部６の軸方向に対して下を向いて傾斜している。したがって、除塵体７は開口１０の範囲内で振動するため、除塵体７の露出部分は斜め下方に向けて突出した状態で振動する。このため、水平な被清掃面に対して、ノズル部６の傾斜を大きくしなくても、容易に除塵体７を被清掃面に当てることができるため、使い勝手が向上する。
なお、他の構成及び動作については実施の形態６と同様であり、ここでは、その説明を省略する。
【０１０８】
以上のように構成された掃除具及び電気掃除機においても、実施の形態１から実施の形態６のいずれかと同様の効果を奏することができる。さらに、除塵体７の露出部分が斜め下方に向けて突出して振動するため、除塵体７を水平な被清掃面に容易に当てることができ、使い勝手を向上することが可能である。
【０１０９】
実施の形態８．
図２０及び図２１は、この発明の実施の形態８に係るもので、図２０は掃除具の側方断面図、図２１は掃除具の動作時の側方断面図である。
【０１１０】
ここで説明する実施の形態８は、前述した実施の形態１から実施の形態７のいずれかの構成において、除塵体７を伸縮可能にしたものである。以下、この実施の形態８に係る掃除具及び電気掃除機について、実施の形態１の構成を元にした場合を例に挙げ、実施の形態１との相違点を中心に説明する。
【０１１１】
この発明の実施の形態８に係る掃除具５は、図２０に示すように、除塵体７を備えている。除塵体７は、除塵体先端部分７ｃと除塵体根元部分７ｄとから構成されている。除塵体先端部分７ｃと除塵体根元部分７ｄとでは、柔軟性及び質量の一方又は両方が異なるように構成されている。
【０１１２】
具体的に例えば、除塵体先端部分７ｃは、幅３０ミリメートル、長さ５０ミリメートル、厚み１ミリメートルのサイズを有するポリエステルのマイクロファイバーの繊維シートからなる。除塵体根元部分７ｄは、幅３０ミリメートル、長さ５０ミリメートル、厚み０．５ミリメートルのサイズを有するポリ塩化ビニルのシートからなる。除塵体７は、以上のような材質の除塵体先端部分７ｃと除塵体根元部分７ｄとが接合されて形成されている。
【０１１３】
除塵体根元部分７ｄは除塵体先端部分７ｃよりも支持具８によって支持される側に配置される。除塵体根元部分７ｄは、除塵体先端部分７ｃよりも剛性が高く（すなわち、柔軟性が低く）、かつ、体積当たりの質量が大きい。
【０１１４】
さらに、この実施の形態８においては、除塵体先端部分７ｃは伸縮可能な構造を有している。具体的に例えば、除塵体先端部分７ｃは最大面積を有する表面一方にポリウレタンがコーティングされている。したがって、除塵体先端部分７ｃは、外力が作用しない状態では、平面視で渦巻き状に自然に巻かれるようになっている。このようにして、除塵体７の少なくとも一部は伸縮可能であり、除塵体７の全長は変化可能である。
【０１１５】
次に、掃除具５の使用時の動作について説明する。まず、図２０に示すように、ノズル部６内に気流が存在しない時には、除塵体先端部分７ｃは渦巻き状に巻かれている。このため、除塵体７の全体が開口１０よりもノズル部６の内側に収容されている。
【０１１６】
接続パイプ４に掃除具５が接続された状態で電動送風機２ｂが動作を開始すると、ノズル部６内から開口１０を通じて吹き出す気流Ａが生成される。すると、除塵体先端部分７ｃは、気流Ａを受けて巻きが解かれて伸長する。巻きが解かれた除塵体先端部分７ｃの先端側は、開口１０からノズル部６の外側に出る。このようにして、除塵体７の全長は、気流Ａの風量によって変化する。そして、除塵体７は、気流Ａの存在時に、気流Ａに吹かれて、開口１０を通りノズル部６の内側と外側とにわたって配置される。
【０１１７】
気流Ａによって、除塵体７の主に開口１０よりもノズル部６の内側の部分において自励振動が励起される。そして、除塵体７の露出部分にまで、自励振動のエネルギーが伝搬され、除塵体７の露出部分が激しく動き回る。この際、除塵体先端部分７ｃは除塵体根元部分７ｄよりも気流Ａの下流側に配置される。また、除塵体根元部分７ｄの大部分は、開口１０よりもノズル部６の内側に配置される。
【０１１８】
したがって、相対的に柔軟性が低く、かつ質量が大きい除塵体根元部分７ｄは、ノズル部６内で高速に自励振動する。そして、除塵体先端部分７ｃは、相対的に柔軟性が高く、かつ質量が小さいため、除塵体根元部分７ｄから伝搬される自励振動のエネルギーの減衰量を小さく抑えることができる。これにより、除塵体先端部分７ｃの動きが強く大きくなる。
【０１１９】
また、電気掃除機１の運転停止後に気流Ａがなくなると、除塵体先端部分７ｃが自然に渦巻き状に巻かれて、除塵体７は自動的にノズル部６内に収容される。したがって、使用者がノズル部６を接続パイプ４に着脱する時等に、汚れの付着した除塵体７に使用者の手が触れにくく、衛生的に取り扱うことができる。また、除塵体７がノズル部６内に隠れるため、掃除具５の意匠性を向上することもできる。
なお、他の構成及び動作については実施の形態１から実施の形態７のいずれかと同様であり、ここでは、その説明を省略する。
【０１２０】
以上のように構成された掃除具及び電気掃除機においても、実施の形態１から実施の形態７のいずれかと同様の効果を奏することができる。さらに、除塵体先端部分７ｃは、強い摩擦を与えるポリウレタンの面と、微細な塵埃の除去に適したマイクロファイバーの面の両方を備えている。したがって、振動する除塵体７によって、ポリウレタンの面とマイクロファイバーの面とで交互に被清掃面を摩擦することができ、強固に付着した塵埃及び微細な塵埃の両方を一度に除去することが可能である。
【０１２１】
実施の形態９．
図２２から図２７は、この発明の実施の形態９に係るもので、図２２は掃除具の側方断面図、図２３は掃除具の除塵体ユニットの側方断面図、図２４は掃除具の動作時の側方断面図、図２５は掃除具のノズル部を屈曲させた状態での動作時の斜視図、図２６は掃除具のノズル部を屈曲させた状態での動作時の側方断面図、図２７は掃除具のノズル先端部の向きを変えた状態での動作時の斜視図である。
【０１２２】
ここで説明する実施の形態９は、前述した実施の形態１から実施の形態８のいずれかの構成において、ノズル部６を屈曲可能にしたものである。以下、この実施の形態９に係る掃除具及び電気掃除機について、実施の形態６の構成を元にした場合を例に挙げ、実施の形態６との相違点を中心に説明する。
【０１２３】
この発明の実施の形態９に係る掃除具５においては、図２２に示すように、ノズル部６は、ノズル先端部６ａ、ノズル屈曲部６ｂ及びノズル根元部６ｃを備えている。ノズル先端部６ａ及びノズル根元部６ｃは、それぞれ中空筒状の部材である。ノズル先端部６ａの一端には、開口１０が形成されている。ノズル根元部６ｃの一端は、電気掃除機１の接続パイプ４に着脱可能に取り付けられる。
【０１２４】
ノズル屈曲部６ｂは、ノズル先端部６ａの他端とノズル根元部６ｃの他端とを接続している。ノズル屈曲部６ｂは、複数の管状部材が連結されて構成されている。ノズル屈曲部６ｂは、隣接する管状部材同士の角度が変更可能に構成されている。このため、ノズル屈曲部６ｂは、内部が中空な状態を保ったまま、屈曲させることができる。そして、ノズル屈曲部６ｂを屈曲させることで、ノズル先端部６ａとノズル根元部６ｃとを連通する風路を形成しつつ、当該風路の形状を屈曲させることが可能である。なお、ノズル屈曲部６ｂは、一定以上の力が加わらない限り、隣接する管状部材同士の角度が維持されるように構成されている。したがって、ノズル屈曲部６ｂは、屈曲角度を維持することができる。
【０１２５】
この実施の形態９に係る掃除具５は、図２３に示す除塵体ユニット１２を備えている。同図に示すように、除塵体ユニット１２は、除塵体７、連結紐９ａ、バネ９ｂ、除塵体カバー１３、バネガイド１４及び連結紐ガイド１５を備えている。除塵体７は、第１の除塵体７ａ、第２の除塵体７ｂ及び第３の除塵体７ｆを備えている。第１の除塵体７ａ、第２の除塵体７ｂ及び第３の除塵体７ｆの一端側は重ね合わされて、連結紐９ａの一端に接続されている。連結紐９ａの他端は、バネ９ｂの一端に接続されている。
【０１２６】
バネ９ｂの他端は、バネガイド１４の一端に係止されている。バネガイド１４は、柔軟性を有する樹脂からなる。バネガイド１４は、細長い板状を呈する。バネガイド１４の幅は、バネ９ｂの内径よりも狭い幅に調整されている。バネガイド１４は、バネ９ｂの内側に通されている。バネガイド１４の他端は、除塵体カバー１３に固定されている。除塵体カバー１３の外形は、ノズル先端部６ａの内面の形状に合わせて形成されている。除塵体カバー１３におけるバネガイド１４の反対側は、開放されている。除塵体カバー１３の内側には、除塵体７が収容可能である。除塵体カバー１３のバネガイド１４側は、気流を妨げないように１以上の開口が形成されている。連結紐ガイド１５は、環状の部材である。連結紐ガイド１５の内側には、連結紐９ａとバネガイド１４とが通されている。
【０１２７】
以上のように構成された除塵体ユニット１２は、一体となってノズル部６に対して着脱することができる。図２２に示すように、除塵体カバー１３がノズル先端部６ａの内側に嵌ることで、除塵体ユニット１２がノズル部６に取り付けられる。
【０１２８】
次に、掃除具５の使用時の動作について説明する。まず、図２２に示すように、ノズル部６内に気流が存在しない時には、除塵体７の全体が開口１０よりもノズル部６の内側に収容されている。そして、接続パイプ４に掃除具５が接続された状態で電動送風機２ｂが動作を開始すると、ノズル部６内から開口１０を通じて吹き出す気流Ａが生成される。それぞれの除塵体７は、気流Ａの存在時に、気流Ａに吹かれて、開口１０を通りノズル部６の内側と外側とにわたって配置される。
【０１２９】
気流Ａによって、それぞれの除塵体７の主に開口１０よりもノズル部６の内側の部分において自励振動が励起される。そして、それぞれの除塵体７の露出部分にまで、自励振動のエネルギーが伝搬され、それぞれの除塵体７の露出部分が激しく動き回る。
【０１３０】
この際、気流Ａを受けて、除塵体７は、バネ９ｂの復元力に抗して除塵体カバー１３及び開口１０から露出する方向へと移動する。そして、この移動によりバネ９ｂが伸長し、除塵体７が気流Ａから受ける力とバネ９ｂの復元力とが釣り合う位置で、除塵体７の移動が止まる。この際、バネ９ｂはバネガイド１４に案内されて伸長する。また、連結紐９ａは連結紐ガイド１５の内側で案内されて移動する。
【０１３１】
また、この実施の形態９の掃除具５は、図２５及び図２６に示すように、ノズル屈曲部６ｂによってノズル部６を屈曲させた状態でも使用することができる。図２６に示すように、ノズル屈曲部６ｂを屈曲させると、隣接する管状部材同士の重なり代は、屈曲の内側で多くなり、屈曲の外側で少なくなる。ノズル屈曲部６ｂが屈曲すると、バネ９ｂはノズル屈曲部６ｂ内で湾曲する。この状態で電気掃除機１が運転されると、気流Ａにより除塵体７が開口１０からの露出する方向に移動することに伴って、連結紐９ａは連結紐ガイド１５に案内された状態でバネ９ｂの一端部を引く。そして、バネ９ｂは、連結紐９ａに引かれて湾曲した状態のバネガイド１４に沿って伸長する。
【０１３２】
この際、連結紐９ａは、ノズル先端部６ａとノズル屈曲部６ｂの境界付近において、連結紐ガイド１５により、常に風路の中央付近に係止される。したがって、ノズル部６が屈曲して風路内に風速分布の偏りが生じても、連結紐９ａが除塵体７を風路の中央付近に留めるように作用するため、除塵体７を風速の遅い領域に移動させずに除塵体７の振動を維持させることができる。すなわち、この実施の形態９における、連結紐９ａ、バネガイド１４及び連結紐ガイド１５は、ノズル部６内の気流Ａに垂直な断面における中心から予め設定された一定範囲内に除塵体７の前記一端が存在する状態を維持する維持部材を構成している。
【０１３３】
また、電気掃除機１の運転停止後に気流Ａがなくなると、バネ９ｂが圧縮するため、除塵体７は自動的にノズル部６内に収容される。この際、バネ９ｂはバネガイド１４に案内された状態で収縮する。
なお、他の構成及び動作については実施の形態１と同様であり、ここでは、その説明を省略する。
【０１３４】
以上のように構成された掃除具及び電気掃除機においても、実施の形態１から実施の形態８のいずれかと同様の効果を奏することができる。さらに、ノズル部６を屈曲させた状態でも使用することができるため、様々な向きの被清掃面に対して容易に除塵体７を当てることができ、清掃能力及び使い勝手を向上することが可能である。
【０１３５】
また、除塵体７を除塵体ユニット１２として一体でノズル部６に着脱することができるため、除塵体７のメンテナンスを容易に行うことが可能である。さらに、除塵体ユニット１２をノズル部６に取り付けない状態でも使用でき、ノズル部６から送風のみ行う送風清掃にも対応することが可能となる。
【０１３６】
なお、ノズル先端部６ａは、ノズル屈曲部６ｂに対して、気流の方向に平行な回転軸を中心にして、その向きを回転させて取り付けることができる。すなわち、ノズル部６は、開口１０の開口面の向きを気流の方向に平行な回転軸を中心にして回転させることができる。したがって、例えば、図２７に示すように、開口１０の開口面の短手方向が左右に配置されるようにノズル先端部６ａをノズル屈曲部６ｂに対して回転した状態で取り付けることができる。前述したように、除塵体７の振動の方向は、主に開口１０の短手方向である。このため、被清掃面の形状に合わせて振動の方向を切り替えることができ、掃除具５の使い勝手を向上させることが可能である。
【０１３７】
実施の形態１０．
図２８から図３２は、この発明の実施の形態１０に係るもので、図２８は掃除具を備えた電気掃除機の全体外観を示す斜視図、図２９は掃除具の側方断面図、図３０は掃除具の先端の外観を示す斜視図、図３１は掃除具の動作を説明する斜視図、図３２は掃除具の被清掃面での掃除動作を説明する側面図である。
【０１３８】
ここで説明する実施の形態１０は、前述した実施の形態１又は実施の形態２の構成において、支持具８で除塵体７の一端を開口１０よりもノズル部６の外側で支持し、ノズル部６内へと開口１０を通じて吸い込む気流の存在時に、気流によって除塵体７が開口１０の内側と外側とにわたって配置されるようにしたものである。以下、この実施の形態１０に係る掃除具及び電気掃除機について、実施の形態１の構成を元にした場合を例に挙げ、実施の形態１との相違点を中心に説明する。
【０１３９】
この実施の形態１０に係る掃除具５を使用する際には、図２８に示すように、ホース３の一端部を吸気口２ｃに接続する。接続パイプ４の他端部には、掃除具５が接続される。この掃除具５は、被清掃面の塵埃を吸引して捕捉する吸引清掃を行うためのものである。掃除具５で吸引した含塵空気は、接続パイプ４及びホース３を経由して吸気口２ｃから掃除機本体２の内部に吸引される。
【０１４０】
図２９及び図３０を参照しながら、この発明の実施の形態１０に係る掃除具５の構成について説明する。これらの図に示すように、掃除具５は、ノズル部６、除塵体７、支持具８及び支持具取付部材９を備えている。
【０１４１】
ノズル部６は、例えば樹脂からなる中空の筒体である。ノズル部６の一端部は円筒状に構成されている。ノズル部６のこの一端部は、接続パイプ４に着脱可能に接続される。ノズル部６の他端部には、開口１０が形成されている。開口１０の開口面の形状は、長手方向と短手方向とを有する。具体的に例えば、開口１０の開口面の形状は、縦４０ミリメートル、横２０ミリメートルの角に丸みを有する矩形状である。このように、ノズル部６は、端部に開口１０が形成された中空筒状を呈する。
【０１４２】
除塵体７は、矩形状又は短冊状を呈する薄板状のシート体からなる。除塵体７は、除塵体７の周囲に一定以上の風速の気流がある場合に、この気流の作用によりはためいて振動することができる程度に十分な柔軟性を備えた素材からなる。このような素材としては、具体的に例えば、紙、織物組識や編物組識からなる各種の布、不織布、プラスチックシート、ビニールシート等を用いることができる。ここでは、除塵体７は、ポリエステルのマイクロファイバーからなる繊維シート体である。除塵体７の各種サイズは、具体的に例えば、幅１５ミリメートル、長さ１２０ミリメートル、厚み１ミリメートルである。
【０１４３】
支持具８は、Ｌ字状を呈する部材である。支持具８は、具体的に例えばステンレス製の棒を折り曲げて構成される。支持具取付部材９は、開口１０の上縁部に取り付けられている。支持具取付部材９には、支持具８のＬ字状の一辺側が固定される。支持具８のＬ字状の前記一辺側は、開口１０よりもノズル部６の外側に突出して配置される。支持具８のＬ字状の他辺側は、Ｌ字状の前記一辺側に対して垂直下向きに突出して配置される。
【０１４４】
支持具８のＬ字状の前記他辺側には、除塵体７の一端が取り付けられる。この支持具８への除塵体７の取付部分の構成は、例えば以下のようになっている。除塵体７の一端部が折り返されて縫製されている。そして、支持具８のＬ字状の前記他辺側が、除塵体７の一端の折り返し部分の内側に差し込まれる。そして、支持具８のＬ字状の前記他辺側の先端部は折り返されている。このため、除塵体７が支持具８から容易に外れないようになっている。
【０１４５】
このようにして、支持具８及び支持具取付部材９によって、除塵体７の一端は、ノズル部６に対して相対的に固定されて支持されている。そして、支持具８及び支持具取付部材９は、除塵体７の前記一端を開口１０よりもノズル部６の外側で支持する支持手段を構成している。また、除塵体７の最大面積を有する表裏両面は、ノズル部６の矩形断面の長手方向と平行に配置される。つまり、除塵体７の表裏両面は、ノズル部６の先端を構成する左右の内周面と平行に配置されている。
【０１４６】
次に、図３１及び図３２を参照しながら、掃除具５の使用時の動作について説明する。使用者がハンドル４ａの操作スイッチを操作すること等により電動送風機２ｂが動作を開始すると、ノズル部６内には、接続パイプ４、ホース３を通って掃除機本体２の排気口２ｄに空気を吸引する気流が発生する。この気流を図２９から図３２では、矢印Ｃで示す。以下においては、この気流を気流Ｃと呼ぶ。気流Ｃができると、ノズル部６内の圧力が低下して、ノズル部６内へと開口を通じて吸い込む気流が生じる。この気流を図３２では、矢印Ｄで示す。以下においては、この気流を気流Ｄと呼ぶ。
【０１４７】
除塵体７は、気流Ｄの存在時に、気流Ｄに吹かれて、開口１０を通りノズル部６の内側と外側とにわたって配置される。したがって、除塵体７は気流Ｃ及び気流Ｄの中に配置される。このため、除塵体７の周囲を気流Ｃ及び気流Ｄが通過する。除塵体７の面に沿って気流Ｃ及び気流Ｄが流れると、除塵体７は柔軟性を有するシート体であるため、気流Ｃ及び気流Ｄが除塵体７の面の部分的な起伏を通過する際に、除塵体７の面の表側と裏側に気圧の差が生じる。除塵体７はこの気圧差により力を受けて、表側と裏側のいずれかの方向に変位する。そして、この変位が除塵体７の全体に伝搬することにより、除塵体７は高い周波数で自励振動する。
【０１４８】
そして、自励振動のエネルギーが伝搬して、除塵体７全体が振動する。図３１中の破線は除塵体７が振動した状態の一例を示している。除塵体７の振動の方向は、主に開口１０の短手方向である。ただし、除塵体７の柔軟性により振動の方向は複雑に変化し、除塵体７は複雑に動き回る。このようにして、除塵体７は、開口１０よりもノズル部６の外側の支持具８との接続部を固定端として自励振動する。
【０１４９】
図３２に示すのは、掃除具５を使用して被清掃面Ｆに付着した塵埃を除去して吸い込む吸引清掃を行う場合の例である。気流Ｃ及び気流Ｄにより動き回る除塵体７を被清掃面Ｆに近接させると、除塵体７の露出部分は複雑に動き回りながら被清掃面Ｆに接触し、摩擦する。そして、被清掃面Ｆに付着した塵埃は、除塵体７の摩擦力と気流Ｄの風圧とにより引き剥がされる。
【０１５０】
除塵体７によって被清掃面Ｆから引き剥がされた塵埃は、開口１０に流入する気流Ｄに乗って開口１０からノズル部６内に吸引される。そして、気流Ｃとともに吸引された塵埃は、集塵部２ａに捕捉される。このように、除塵体７を吸引清掃で使用することにより、被清掃面Ｆに付着した塵埃を除去しながら、吸引することができる。このため、除去した塵埃を舞い上げることなく回収することができる。
【０１５１】
以上のように構成された掃除具５及び電気掃除機１は、気流の力を利用して高い除塵効果を得ることができる。また、電気的な駆動源を必要としないため、掃除具５の小型化、軽量化を図ることが可能である。ここで、気流の作用によって生じる除塵体７の振動の強度つまり自励振動のエネルギー量は、気流の風量、風速、ノズル部６の開口１０の形状、サイズ、除塵体７の質量、柔軟性、長さ、幅、厚み等の要素によって変化する。このため、これらの要素を調節することにより、様々な被清掃面の状態、塵埃付着の度合い等に適した構成にすることができる。
【０１５２】
なお、以上のように構成されたこの発明の実施の形態１０に係る掃除具５は、前述した実施の形態１に係る掃除具５を構成する部品をそのまま用いて構成することもできる。すなわち、前述したように、実施の形態１に係る掃除具５は、ノズル部６の開口１０の上縁部に、スリット１１が形成されている。そして、支持具取付部材９は、このスリット１１内に着脱可能に取り付けられる。したがって、図４に示すように、支持具取付部材９、支持具８及び除塵体７は、一体となってノズル部６に着脱することができる。
【０１５３】
ここで、実施の形態１では、支持具取付部材９を支持具８がノズル部６の内側に配置される向きでスリット１１に取り付けていた。この支持具取付部材９は、支持具８がノズル部６の外側に突出する向きでスリット１１に取り付けることもできる。そして、支持具８がノズル部６の外側に突出する向きで支持具取付部材９をスリット１１に取り付けられることで、これまでに説明した実施の形態１０に係る掃除具５の構成とすることができる。すなわち、実施の形態１の掃除具５として送風清掃と、実施の形態１０の掃除具５として吸引清掃の両方に使用することができる。
【０１５４】
また、この場合、実施の形態１で説明したように、支持具取付部材９は、スリット１１の範囲内でノズル部６に対して移動可能に取り付けられる。したがって、支持具取付部材９、支持具８及び除塵体７は、一体となってノズル部６に対する位置を変更することができる。つまり、支持手段で除塵体７を支持する位置すなわち除塵体７の前記一端部の位置を、ノズル部６に対して相対的に移動させることができる。このため、除塵体７は、開口１０よりもノズル部６の外側に配置される露出部分の長さが変化可能である。
【０１５５】
そして、除塵体７の露出部分の長さを変化可能にすることで、除塵体７の除塵能力を調節することができる。したがって、対象とする被清掃面Ｆの状態、塵埃付着の度合い等に応じて除塵体７の到達可能な範囲と除塵能力とを調節し、様々な被清掃面Ｆの状態、塵埃付着の度合い等に対応することが可能である。
なお、他の構成及び動作については実施の形態１と同様であり、ここでは、その説明を省略する。
【０１５６】
以上のように構成された掃除具５及び電気掃除機１においても、実施の形態１と同様の効果を奏することができる。すなわち、掃除具５は、ノズル部６内へと開口１０を通じて吸い込む気流Ｃ、Ｄの存在時に、この気流Ｃ、Ｄによって開口１０を通りノズル部６の内側と外側とにわたって配置される除塵体７を備えている。このため、除塵体７は、開口１０よりもノズル部６の内側で高速な気流Ａによって自励振動する。そして、開口１０よりもノズル部６の外側に配置される除塵体７の露出部分は、前述の自励振動の伝搬を受けて、広範囲で振動する。つまり、ノズル部６の内側における高速な気流Ａでもって励起される自励振動の高いエネルギーでもって、除塵体７の露出部分を高い周波数で広範囲にわたって振動させることができる。したがって、小型軽量で使い勝手がよく、かつ、気流及び除塵体（シート体）による相乗的な塵埃除去効果を得ることができる。
【０１５７】
なお、実施の形態９で説明したような、屈曲可能なノズル部６を備えてもよい。このようにすることで、ノズル部６を屈曲させた状態でも使用することができるため、様々な向きの被清掃面に対して容易に除塵体７を当てることができ、清掃能力及び使い勝手を向上することが可能である。
【０１５８】
ノズル部６は、開口１０の開口面の向きを気流の方向に平行な回転軸を中心にして回転させることができるようにしてもよい。このようにすることで、被清掃面の形状に合わせて除塵体７の振動の方向を切り替えることができ、掃除具５の使い勝手を向上させることが可能である。
【０１５９】
実施の形態１１．
図３３は、この発明の実施の形態１１に係るもので、掃除具の先端の外観を示す斜視図である。
【０１６０】
ここで説明する実施の形態１１は、前述した実施の形態１０の構成において、除塵体７の露出部分を、少なくとも一側が開放された状態で覆う開口カバー１６を備えるようにしてものである。以下、この実施の形態１１に係る掃除具及び電気掃除機について、実施の形態１０の構成を元にした場合を例に挙げ、実施の形態１０との相違点を中心に説明する。
【０１６１】
この発明の実施の形態１１に係る掃除具５は、図３３に示すように、開口カバー１６を備えている。開口カバー１６は、ノズル部６の先端部に着脱可能に取り付けられる。開口カバー１６は、開口１０からさらに前方に突出して取り付けられる。開口カバー１６は、１つの開口カバー上面１６ａと２つの開口カバー側面１６ｂとを備えている。開口カバー上面１６ａは、除塵体７の露出部分の上側に配置される。開口カバー側面１６ｂは、除塵体７の露出部分の左右の両側にそれぞれ配置される。
【０１６２】
このように、開口カバー１６は、除塵体７の露出部分を、少なくとも一側が開放された状態で覆う開口カバー体である。図３３に示す例では、除塵体７の露出部分のうち、前方側及び下方側の２つの側を開放しており、その他の側を覆っている。したがって、開口カバー１６によって、除塵体７の露出部分の上方側と左右の両側からの空気の流入が阻止される。そして、周囲の空気が除塵体７の露出部分の前方側及び下方側に集められて、開口１０からノズル部６内に吸引される。したがって、除塵体７の露出部分の周囲を通過する気流の風速を高めることができる。よって、除塵体７の振動が強くなるため、塵埃の除去効果を高めることが可能である。
【０１６３】
なお、開口カバー１６は透明な樹脂で構成することが望ましい。開口カバー１６は透明な樹脂で構成することで、使用者は、被清掃面の塵埃の除去状況を視認しながら清掃することができる。このため、使い勝手を向上することが可能である。
他の構成及び動作については実施の形態１０と同様であり、ここでは、その説明を省略する。
【０１６４】
以上のように構成された掃除具及び電気掃除機においても、実施の形態１０と同様の効果を奏することができる。さらに、ノズル部６の開口１０部分に開口カバー１６を取り付けることで、特定の方向からの気流のみを除塵体７の露出部分の周囲に通過させるようにして、除塵体７の振動を強めて、掃除具５の塵埃除去効果を向上することができる。
【０１６５】
実施の形態１２．
図３４は、この発明の実施の形態１２に係るもので、掃除具の先端の外観を示す斜視図である。
【０１６６】
ここで説明する実施の形態１２は、前述した実施の形態１１の構成において、開口カバー１６にブラシ状の植毛を設けるようにしたものである。以下、この実施の形態１２に係る掃除具及び電気掃除機について、実施の形態１１の構成を元にした場合を例に挙げ、実施の形態１１との相違点を中心に説明する。
【０１６７】
図３４に示すように、この発明の実施の形態１２に係る掃除具５は、実施の形態１１と同じく開口カバー１６を備えている。開口カバー１６には、ブラシ状の開口カバー植毛１６ｃが設けられている。開口カバー植毛１６ｃは、左右の開口カバー側面１６ｂの下縁部から下方に突出している。
【０１６８】
電気掃除機１の運転時には、除塵体７の自励振動に伴うノズル部６の先端部の振動が開口カバー１６に伝達する。そして、開口カバー１６が振動することで、開口カバー植毛１６ｃが振動する。このため、掃除具５は除塵体７による塵埃の除去効果に加え、振動する開口カバー植毛１６ｃによる塵埃の除去効果も得ることができ、清掃効率をさらに向上することができる。
なお、他の構成及び動作については実施の形態１１と同様であり、ここでは、その説明を省略する。
【０１６９】
以上のように構成された掃除具及び電気掃除機においても、実施の形態１１と同様の効果を奏することができる。さらに、振動する開口カバー植毛１６ｃによっても被清掃面上の塵埃を掃き取ることが可能である。
【０１７０】
実施の形態１３．
図３５は、この発明の実施の形態１３に係るもので、掃除具の先端の外観を示す斜視図である。
【０１７１】
ここで説明する実施の形態１３は、前述した実施の形態１０から実施の形態１２のいずれかの構成において、除塵体７は、気流の下流側の先端部に振動増幅体を備えるようにしたものである。以下、この実施の形態１３に係る掃除具及び電気掃除機について、実施の形態１０の構成を元にした場合を例に挙げ、実施の形態１０との相違点を中心に説明する。
【０１７２】
この発明の実施の形態１３に係る掃除具５は、図３５に示すように、除塵体７の支持具８で支持されている側とは反対側の先端に振動増幅体７ｅが設けられている。振動増幅体７ｅは、除塵体７と同じ幅で、気流の方向の長さは１５ミリメートルである。また、振動増幅体７ｅは、気流方向の中央部において最大の３ミリメートルの厚みを有している。そして、振動増幅体７ｅは、気流の上流側と下流側が中央より薄く構成されている。
【０１７３】
振動増幅体７ｅを備えた除塵体７がノズル部６内で自励振動すると、除塵体７は、振動増幅体７ｅの質量分を加えた振動エネルギーの大きい振動体となる。このため、除塵体７が外部に作用する力が大きくなる。したがって、除塵体７の塵埃の除去効果を高めることができる。また、振動増幅体７ｅは、気流方向の中央部において最も厚く、気流の上流側と下流側は中央より薄くなっている。このため、振動増幅体７ｅを除塵体７の表面に沿って流れる気流を乱さないような流線形状とすることができる。したがって、除塵体７の自励振動を弱めることがない。
なお、他の構成及び動作については実施の形態１０から実施の形態１２のいずれかと同様であり、ここでは、その説明を省略する。
【０１７４】
以上のように構成された掃除具及び電気掃除機においても、実施の形態１０から実施の形態１２のいずれかと同様の効果を奏することができる。さらに、除塵体７の気流の下流側の先端部に振動増幅体７ｅを設けることで、除塵体７の露出部分の動きをより強く大きくすることができ、除塵体７の塵埃除去効果を向上することが可能である。
【０１７５】
実施の形態１４．
図３６は、この発明の実施の形態１４に係るもので、掃除具の先端の外観を示す斜視図である。
【０１７６】
ここで説明する実施の形態１４は、前述した実施の形態１０から実施の形態１３のいずれかの構成において、除塵体７にブラシ状の植毛を設けるようにしたものである。以下、この実施の形態１４に係る掃除具及び電気掃除機について、実施の形態１０の構成を元にした場合を例に挙げ、実施の形態１０との相違点を中心に説明する。
【０１７７】
この発明の実施の形態１４に係る掃除具５においては、図３６に示すように、除塵体７の露出部分には、ブラシ状の除塵体植毛７ｇが設けられている。除塵体植毛７ｇは、例えば、除塵体７の表面に下方に突出するように取り付けられている。除塵体植毛７ｇの先端は、除塵体７の下端よりも下方に突出している。
【０１７８】
電気掃除機１の運転時には、除塵体７の自励振動に伴って除塵体７と一緒に除塵体植毛７ｇが振動する。このため、掃除具５は除塵体７による塵埃の除去効果に加え、振動する除塵体植毛７ｇによる塵埃の除去効果も得ることができ、清掃効率をさらに向上することができる。
なお、他の構成及び動作については実施の形態１０から実施の形態１３のいずれかと同様であり、ここでは、その説明を省略する。
【０１７９】
以上のように構成された掃除具及び電気掃除機においても、実施の形態１０から実施の形態１３のいずれかと同様の効果を奏することができる。さらに、振動する除塵体植毛７ｇによっても被清掃面上の塵埃を掃き取ることが可能である。
【符号の説明】
【０１８０】
１    電気掃除機
２    掃除機本体
２ａ  集塵部
２ｂ  電動送風機
２ｃ  吸気口
２ｄ  排気口
３    ホース
４    接続パイプ
４ａ  ハンドル
５    掃除具
６    ノズル部
６ａ  ノズル先端部
６ｂ  ノズル屈曲部
６ｃ  ノズル根元部
７    除塵体
７ａ  第１の除塵体
７ｂ  第２の除塵体
７ｃ  除塵体先端部分
７ｄ  除塵体根元部分
７ｅ  振動増幅体
７ｆ  第３の除塵体
７ｇ  除塵体植毛
８    支持具
９    支持具取付部材
９ａ  連結紐
９ｂ  バネ
１０    開口
１１    スリット
１２    除塵体ユニット
１３    除塵体カバー
１４    バネガイド
１５    連結紐ガイド
１６    開口カバー
１６ａ  開口カバー上面
１６ｂ  開口カバー側面
１６ｃ  開口カバー植毛
【図１】
2018153242.tif 000003
【図２】
2018153242.tif 000004
【図３】
2018153242.tif 000005
【図４】
2018153242.tif 000006
【図５】
2018153242.tif 000007
【図６】
2018153242.tif 000008
【図７】
2018153242.tif 000009
【図８】
2018153242.tif 000010
【図９】
2018153242.tif 000011
【図１０】
2018153242.tif 000012
【図１１】
2018153242.tif 000013
【図１２】
2018153242.tif 000014
【図１３】
2018153242.tif 000015
【図１４】
2018153242.tif 000016
【図１５】
2018153242.tif 000017
【図１６】
2018153242.tif 000018
【図１７】
2018153242.tif 000019
【図１８】
2018153242.tif 000020
【図１９】
2018153242.tif 000021
【図２０】
2018153242.tif 000022
【図２１】
2018153242.tif 000023
【図２２】
2018153242.tif 000024
【図２３】
2018153242.tif 000025
【図２４】
2018153242.tif 000026
【図２５】
2018153242.tif 000027
【図２６】
2018153242.tif 000028
【図２７】
2018153242.tif 000029
【図２８】
2018153242.tif 000030
【図２９】
2018153242.tif 000031
【図３０】
2018153242.tif 000032
【図３１】
2018153242.tif 000033
【図３２】
2018153242.tif 000034
【図３３】
2018153242.tif 000035
【図３４】
2018153242.tif 000036
【図３５】
2018153242.tif 000037
【図３６】
2018153242.tif 000038